(57)【要約】【課題】組み立てやすく、かつ、横桟が縦桟から外れにくいファンガード組立体を有する空気調和機を提供する。【解決手段】空気調和機は、送風ファン１８を収容し、送風ファン１８で形成された空気流を吹き出す吹出開口１７ｆを有する筐体と、筐体内において送風ファン１８と吹出開口１７ｆとの間に配置されたファンガード組立体２１とを備え、ファンガード組立体２１は、保持溝を形成するように突出した突出部５０〜５５を有する第１部材３０と、第１部材３０の保持溝に保持される第２部材とを有しており、突出部５０〜５５は、側面視において、保持溝に保持された状態の第２部材の中心点Ｃ４０〜Ｃ４５と吹出開口１７ｆ縁Ｖ上にある任意の点Ｐ１とを通過する直線Ｌ１〜Ｌ６に対して交差するように突出している。【選択図】図８
2010107086.tif 000002
【特許請求の範囲】
【請求項１】
送風ファンを収容し、前記送風ファンで形成された空気流を吹き出す吹出開口を有する筐体と、
前記筐体内において前記送風ファンと前記吹出開口との間に配置されたファンガード組立体とを備え、
前記ファンガード組立体は、
保持溝を形成するように突出した突出部を有する第１部材と、
前記第１部材の前記保持溝に保持される第２部材とを有しており、
前記突出部は、
側面視において、前記保持溝に保持された状態の前記第２部材の中心点と前記吹出開口縁上にある任意の点とを通過する直線に対して交差するように突出したことを特徴とする空気調和機。
【請求項２】
前記突出部は、前記吹出開口側に開口した前記保持溝を形成するように、前記吹出開口側に向かって突出したことを特徴とする請求項１記載の空気調和機。
【請求項３】
前記第１部材は、複数の突出部及び複数の保持溝を有しており、前記複数の保持溝において複数の前記第２部材を保持し、
前記第２部材は、前記吹出開口のほぼ全域に亘って配置されることを特徴とする請求項１または２に記載の空気調和機。
【請求項４】
前記突出部の先端は略三角形状に形成されることを特徴とする請求項１〜３のいずれか１項に記載の空気調和機。
【請求項５】
前記突出部は、前記保持溝に保持された状態の前記第２部材を前記保持溝内で固定するための突起を有していることを特徴とする請求項１〜４のいずれか１項に記載の空気調和機。
【発明の詳細な説明】
【技術分野】
【０００１】
本発明は、送風ファンと吹出開口との間に配置されたファンガード組立体を有する空気調和機に関する。
【背景技術】
【０００２】
従来の室内機には、送風ファンを収容し、送風ファンで形成された空気流を吹き出す吹出開口を有する筐体と、筐体内において送風ファンと吹出開口との間に配置されたファンガード組立体とを備えるものがある。ファンガード組立体は、手等が外部から送風ファンに向かって誤挿入されることを防止するためのものであって、縦方向に並行に配列された複数本の縦桟と、縦桟の配列方向に略直交して配列された横桟とで構成されることが一般的である。
【０００３】
そして、従来のファンガード組立体としては、縦桟に形成された貫通穴に横桟を貫通した穴貫通タイプや、縦桟に横桟を保持するための凹部を設け、この凹部に横桟を差し込んだ差込タイプ（例えば、特許文献１参照）が知られている。
【特許文献１】特開平８−２２６６９８号公報
【発明の開示】
【発明が解決しようとする課題】
【０００４】
しかしながら、従来の穴貫通タイプでは、組み立てが煩雑であり、横桟の外径のバラツキによって横桟を縦桟に組み付けることができないことが考えられる。また、従来の差込タイプでは、横桟が縦桟から外れやすいという問題がある。
【０００５】
本発明の目的は、組み立てやすく、かつ、横桟が縦桟から外れにくいファンガード組立体を有する空気調和機を提供することである。
【課題を解決するための手段】
【０００６】
第１の発明に係る空気調和機は、送風ファンを収容し、送風ファンで形成された空気流を吹き出す吹出開口を有する筐体と、筐体内において送風ファンと吹出開口との間に配置されたファンガード組立体とを備え、ファンガード組立体は、保持溝を形成するように突出した突出部を有する第１部材と、第１部材の保持溝に保持される第２部材とを有しており、突出部は、側面視において、保持溝に保持された状態の第２部材の中心点と吹出開口縁上にある任意の点とを通過する直線に対して交差するように突出している。
【０００７】
この空気調和機では、ファンガード組立体の組立時に、従来の穴貫通タイプのように第２部材を第１部材に貫通させる必要がないため、第２部材を第１部材に対して簡単に組み付けることができる。また、第１部材に設けられた突出部によって、第１部材に保持された第２部材がその中心点と吹出開口縁上にある点とを結ぶ方向に移動することを規制できる。つまり、第２部材に外部から挿入された手等が接触することによって、吹出開口側に引っ張られる方向または吹出開口と反対側の送風ファン側に押される方向に第２部材が移動することを防止できる。したがって、従来の差込タイプに比して、第２部材が第１部材から抜けることを確実に防止できる。
【０００８】
第２の発明に係る空気調和機は、第１の発明に係る空気調和機において、突出部は、吹出開口側に開口した保持溝を形成するように、吹出開口側に向かって突出している。
【０００９】
この空気調和機では、外部から挿入された手等によって第２部材が吹出開口へと引っ張られる方向に肉を盛ることで、第２部材が第１部材から吹出開口側に抜けることを確実に防止できる。
【００１０】
第３の発明に係る空気調和機は、第１または第２の発明に係る空気調和機において、第１部材は、複数の突出部及び複数の保持溝を有しており、複数の保持溝において複数の第２部材を保持し、第２部材は、吹出開口のほぼ全域に亘って配置される。
【００１１】
この空気調和機では、第２部材を吹出開口のほぼ全域に亘って設けることで、外部から筐体内部に挿入された手等で引っ張られるまたは押されることによって、第２部材が第１部材から抜けることを確実に防止できる。なお、「吹出開口の全域に亘って」とは、複数の第２部材が吹出開口の長手方向に沿って（複数の第１部材の配列方向に沿って）吹出開口のほぼ全域に亘って設けられる場合や、複数の第２部材が吹出開口の長手方向に垂直な方向に沿って（複数の第２部材の配列方向に沿って）吹出開口のほぼ全域に亘って設ける場合が含まれる。
【００１２】
第４の発明に係る空気調和機は、第１〜第３の発明のいずれかに係る空気調和機において、突出部の先端は略三角形状に形成される。
【００１３】
この空気調和機では、突出部の先端を略三角形状に形成することで、突出部の先端付近で渦ができることにより風の流れが乱れることを防止できる。したがって、従来の空気調和機に比べて、ファンガード組立体の結露を抑制できる。
【００１４】
第５の発明に係る空気調和機は、第１〜第４の発明のいずれかに係る空気調和機において、突出部は、保持溝に保持された状態の第２部材を保持溝内で固定するための突起を有している。
【００１５】
この空気調和機では、突出部に設けられた突起によって、第２部材の第１部材への組付後に、第２部材が第１部材から抜けることを確実に防止できる。
【発明の効果】
【００１６】
以上の説明に述べたように、本発明によれば、以下の効果が得られる。
【００１７】
第１の発明では、ファンガード組立体の組立時に、従来の穴貫通タイプのように第２部材を第１部材に貫通させる必要がないため、第２部材を第１部材に対して簡単に組み付けることができる。また、第１部材に設けられた突出部によって、第１部材に保持された第２部材がその中心点と吹出開口縁上にある点とを結ぶ方向に移動することを規制できる。つまり、第２部材が、外部から挿入された手等で押されることによって、吹出開口側に引っ張られる方向または吹出開口と反対側の送風ファン側に押される方向に移動することを防止できる。したがって、従来の差込タイプに比して、第２部材が第１部材から抜けることを確実に防止できる。
【００１８】
また、第２の発明では、外部から挿入された手等によって第２部材が吹出開口へと引っ張られる方向に肉を盛ることで、第２部材が第１部材から吹出開口側に抜けることを確実に防止できる。
【００１９】
また、第３の発明では、第２部材を吹出開口のほぼ全域に亘って設けることで、外部から筐体内部に挿入された手等で引っ張られるまたは押されることによって、第２部材が第１部材から抜けることを確実に防止できる。なお、「吹出開口の全域に亘って」とは、複数の第２部材が吹出開口の長手方向に沿って（複数の第１部材の配列方向に沿って）吹出開口のほぼ全域に亘って設けられる場合や、複数の第２部材が吹出開口の長手方向に垂直な方向に沿って（複数の第２部材の配列方向に沿って）吹出開口のほぼ全域に亘って設ける場合が含まれる。
【００２０】
また、第４の発明では、突出部の先端を略三角形状に形成することで、突出部の先端付近で渦ができることにより風の流れが乱れることを防止できる。したがって、従来の空気調和機に比べて、ファンガード組立体の結露を抑制できる。
【００２１】
また、第５の発明では、突出部に設けられた突起によって、第２部材の第１部材への組付後に、第２部材が第１部材から抜けることを確実に防止できる。
【発明を実施するための最良の形態】
【００２２】
以下、図面を参照しつつ、本発明の一実施形態に係る空気調和機の構成について説明する。図１は、本発明の実施形態に係る室内機１（空気調和機）を前方斜め上から見た斜視図である。図２は、図１に示す室内機１を前方から見た模式図である。図３は、図２に示す室内機１のＡ−Ａ断面模式図である。図４は、図２に示す室内機１の前面パネルを取り外した模式図である。
【００２３】
図１に示すように、本実施形態の室内機１は、全体として一方向に細長い形状を有しており、その長手方向が水平となるように室内の壁面に据付板７０（図１１参照）を介して取り付けられるものであり、室外に設置される室外機に接続される。この室内機１は、本体ユニット１０と、本体ユニット１０の前面に取り付けられる前面パネル２０と、を有して構成される。
【００２４】
図３に示すように、本体ユニット１０は、本体ケーシング１１（筐体）と、室内熱交換器１２と、クロスフローファン１３（送風ファン）と、電装品ユニット１４と、フィルタユニット１５と、清掃ユニット１６と、前面グリル１７とを有して構成される。
【００２５】
室内熱交換器１２、クロスフローファン１３、電装品ユニット１４、及びフィルタユニット１５は、本体ケーシング１１に取り付けられている。前面グリル１７は、これら室内熱交換器１２等の構成部材を覆うように本体ケーシング１１の前面に取り付けられている。清掃ユニット１６は、フィルタユニット１５に当接した状態で保持されるように、前面グリル１７の外側から、当該前面グリル１７の前面に嵌め込まれている。
【００２６】
室内熱交換器１２は、本体ケーシング１１に対して、前側熱交換器１２ａと後側熱交換器１２ｂとを逆Ｖ字状に配置して構成されたプレートフィン形の熱交換器である。尚、本実施形態の室内機１においては、前側熱交換器１２ａの前面に補助熱交換器１２ｃが取り付けられている。また、後側熱交換器１２ｂの後面に補助熱交換器１２ｄが取り付けられている。補助熱交換器１２ｃ及び補助熱交換器１２ｄは、冷媒と空気との熱交換を助長するためのものである。
【００２７】
前側熱交換器１２ａ、後側熱交換器１２ｂ及び補助熱交換器１２ｃ、１２ｄは、いずれも水平方向に延在した複数の冷媒管を有している。ここで、前側熱交換器１２ａは、２列１２段に配列された冷媒管を有しており、後側熱交換器１２ｂは、２列６段に配列された冷媒管を有している。また、補助熱交換器１２ｃは、１列８段に配列された冷媒管を有しており、補助熱交換器１２ｄは、１列４段に配列された冷媒管を有している。
【００２８】
前側熱交換器１２ａは、その上方から６段の冷媒管が設けられた上端部分が前方下向きに傾斜し、次の４段の冷媒管が設けられた中央部分が鉛直方向に延在し、次の２段の冷媒管が設けられた下端部分が後方下向きに傾斜している。そして、補助熱交換器１２ｃは、その上方から６段の冷媒管が設けられた部分が前側熱交換器１２ａの上端部分に積層され、次の２段の冷媒管が設けられた部分が前側熱交換器１２ａの中央部分に積層されている。
【００２９】
後述する天面吸込口１７ａ及び前面パネル２０から取り入れられた空気のほとんどは、補助熱交換器１２ｃ、前側熱交換器１２ａの順に通過する。つまり、補助熱交換器１２ｃは、天面吸込口１７ａ及び前面パネル２０から取り入れられた空気の流れに関して、本体熱交換器１２ａより風上側に配置されている。また、補助熱交換器１２ｃの面積は、本体熱交換器１２ａの面積よりも小さく、補助熱交換器１２ｃは本体熱交換器１２ａ上に部分的に配置されている。
【００３０】
図１に示すように、前面グリル１７には、天井部分に天面吸込口１７ａが形成されている。当該天面吸込口１７ａは、前面グリル１７の天井部分を格子状にして形成されている。また、図４に示すように、前面グリル１７の前側上部には、前側開口１７ｂ、１７ｃが形成されている。前側開口１７ｂ、１７ｃは、それぞれ一の開口として形成されている。  
【００３１】
また、前面グリル１７には、これらの前側開口１７ｂ、１７ｃの下方に室内機１の長手方向と平行に延びる開口部１７ｄが形成されている。この開口部１７ｄには、清掃ユニット１６が嵌め込まれている。また、前面グリル１７には、長手方向中央部において、開口部１７ｄの下方に、発光表示部８０を前方に露出させるための開口部１７ｅが形成されている。当該開口部１７ｅは、発光表示部８０の前面形状と略対応する形状で形成され、当該発光表示部８０が、前面グリル１７の内側から外側に向かって挿入されている。
【００３２】
図１に示すように、前面パネル２０を閉じた状態で、前面グリル１７の天面吸込口１７ａ、及び、前面パネル２０の上部に位置する前側吸込口２０ａから、外部の空気が当該前面グリル１７の内部へ吸い込まれる。
【００３３】
図３に示すように、室内熱交換器１２の逆Ｖ字状の内側には、クロスフローファン１３が設けられている。このクロスフローファン１３は軸流ファンと呼ばれているもので、その軸方向が室内機１の長手方向に沿うように配置されている。本体ケーシング１１には、クロスフローファン１３の背後において、湾曲した壁面を有して構成されるスクロール部１１ａが形成されている。当該スクロール部１１ａにより、クロスフローファン１３から前面グリル１７の前面側下部に開口する吹出口１７ｆ（吹出開口）へ空気を滑らかに導くことができる。ファンガード組立体２１は、本体ケーシング１１内において左右風向ルーバ１８と上下風向ルーバ１９の間に配置される。
【００３４】
本体ケーシング１１は、吹出口１７ｆの上側に位置するように上側壁面１１ｂを有する。当該上側壁面１１ｂは、第２部分５１の下方に位置するドレンパン１１ｃと一体に成形されている。ドレンパン１１ｃと前面パネル２０との間の位置には、電装品ユニット１４が配置されている。また、第３部分５２の下方には、後側ドレンパン１１ｄが配置されている。本体ケーシング１１、前面グリル１７、及び前面パネル２０は、横長のものである。また、吹出口１７ｆは、前面グリル１７の長手方向（横方向）に沿って延びるように形成されている。
【００３５】
室内機１においては、上面の天面吸込口１７ａ及び前面パネル２０の上部の隙間からクロスフローファン１３によって吸い込まれた室内空気を室内熱交換器１２に通過させ冷媒との間で熱交換させることにより、当該空気の冷却又は加熱が行われる。熱交換後の当該空気は、下面の吹出口１７ｆから室内へと吹き出される。
【００３６】
図５は、ファンガード組立体２１を斜め前方から見た斜視図である。図に示すように、ファンガード組立体２１は、吹出口１７ｆの長手方向（図３の紙面に垂直な方向）に沿って互いに離れた位置に配置された４本の縦桟３０〜３３（第１部材）と、各縦桟３０〜３３の配列方向に向けて吹出口１７ｆの全域に亘って設けられた６本の横桟４０〜４５（第２部材）とを有している。
【００３７】
図６は、図３に示すファンガード組立体２１の周辺を拡大した模式図である。図に示すように、縦桟３０は、吹出口１７ｆの下端から上端に向けて順次に形成された各突出部５０〜５５を有している。これらの突出部５０〜５５は、吹出口１７ｆ側に開口した保持溝６０〜６５を形成するように突出している。そして、これらの保持溝６０〜６５には、横桟４０〜４５がそれぞれ保持されている。なお、ここでは図示を省略したが、図５に示す縦桟３１〜３３についても、縦桟３０と同様の保持溝を有する突出部がそれぞれ形成される。
【００３８】
図７は、図６に示す突出部５０、５１の周辺を拡大した模式図である。図に示すように、突出部５０、５１の各先端は略三角形状に形成される。また、突出部５０、５１は、横桟４０、４１を保持溝６０、６１内で固定するための突起５０ａ、５１ａをそれぞれ有している。また、図の符号Ｃ４０、Ｃ４１は、保持溝６０、６１に保持された横桟４０、４１の中心点をそれぞれ示す。なお、以下では、図６に示す保持溝６２〜６５で保持された横桟４２〜４５の各中心点についても同様に、中心点Ｃ４２〜Ｃ４５と表記する。また、図６に示す各突出部５２〜５５についても、突出部５０、５１と同様に、先端が略三角形状に形成され、横桟４２〜４５を保持溝６２〜６５内で固定するための突起をそれぞれ有している。
【００３９】
図８は、図３に示すファンガード組立体２１の周辺を拡大した断面模式図である。図中の縁Ｖは、本体ケーシング１１において空気が吹き出される部分、例えば、側面視において吹出口１７ｆの上端に位置する点Ｐ１と下端に位置する点Ｐ２とを結んだ直線（図の一点鎖線）を示す。また、図中の直線Ｌ１〜Ｌ６は、中心点Ｃ４０〜Ｃ４５と、縁Ｖ上の点Ｐ１とを結んだ直線をそれぞれ示す。図に示すように、各突出部５０〜５５は、それぞれ、各直線Ｌ１〜Ｌ６に対して交差するように形成される。このような構成によれば、外部から挿入された手等で押されることによって、各横桟４０〜４５が各直線Ｌ１〜Ｌ６方向に移動することを規制できる。つまり、各横桟４０〜４５が、吹出口１７ｆ側に引っ張られる方向に移動することを防止できる。したがって、本発明では、従来の差込タイプに比して、各横桟４０〜４５が各縦桟３０〜３３から抜けることを確実に防止できる。
【００４０】
図９は、図３に示すファンガード組立体２１の周辺を拡大した断面模式図である。図中の符合Ｌ１〜Ｌ６は、中心点Ｃ４０〜Ｃ４５と、吹出口１７ｆの縁Ｖ（図の一点鎖線）上において吹出口１７ｆの下端に位置する点Ｐ２とを結んだ各直線を示す。図に示すように、各突出部５０〜５５は、図８と同様、各直線Ｌ１〜Ｌ６に対して交差するように形成される。したがって、各横桟４０〜４５が各直線Ｌ１〜Ｌ６方向に移動することを規制でき、各横桟４０〜４５が吹出口１７ｆ側に引っ張られる方向に移動することを防止できる。
【００４１】
図１０は、図３に示すファンガード組立体２１の周辺を拡大した断面模式図である。図中の符合Ｌ１〜Ｌ６は、中心点Ｃ４０〜Ｃ４５と、吹出口１７ｆの縁Ｖ（図の一点鎖線）上において吹出口１７ｆの上端及び下端の間に位置する点Ｐ３とを結んだ各直線を示す。なお、この点Ｐ３は、縁Ｖ上の任意の点であってよい。図１０においても、図８や図９と同様に、各突出部５０〜５５は、各直線Ｌ１〜Ｌ６に対して交差するように形成される。したがって、各横桟４０〜４５が各直線Ｌ１〜Ｌ６方向に移動することを規制でき、各横桟４０〜４５が吹出口１７ｆ側に引っ張られる方向に移動することを防止できる。
【００４２】
図１１は、室内機１を壁面に固定するための据付板７０を前方斜め上から見た斜視図である。図に示すように、据付板７０の上部には、室内機１を据付板７０に固定する際に前面グリル１７の背面上部を引っ掛けるための突起７０ａが据付板７０の長手方向に沿って３ヶ所に設けられる。また、据付板７０の下部には、据付板７０の長手方向に沿って係止穴７０ｂ、７０ｃ、７０ｄが順次に形成される。
【００４３】
図１２（ａ）は、図２に示す室内機１のＢ−Ｂ（Ｄ−Ｄ）断面模式図であり、図１２（ｂ）は、図２に示す室内機１のＣ−Ｃ断面模式図である。各図に示すように、前面グリル１７において据付板７０の係止穴７０ｂ、７０ｃ、７０ｄに対応する位置には、嵌合部（爪部）１７ｈ、１７ｉ、１７ｊがそれぞれ形成される。嵌合部１７ｈ、１７ｊは、配管２２（図３参照）によって本体ケーシング１１が壁面から浮き上がることを防止するために設けられる。また、嵌合部１７ｈ、１７ｊには、垂直面１７ｋ、１７ｌがそれぞれ形成される。図１２（ａ）に示すように、これらの垂直面１７ｋ、１７ｌは、室内機１を据付板７０に固定した状態で、すなわち、嵌合部１７ｈ、１７ｊが係止穴７０ｂ、７０ｄにそれぞれ係止された状態で、係止穴７０ｂ、７０ｄの各端部７０ｅ、７０ｆに当接する。そして、この当接によって、嵌合部１７ｈ、１７ｊの手前側（据付板７０と反対側）への移動が規制される。
【００４４】
一方、図１２（ｂ）に示すように、嵌合部１７ｉには、嵌合部１７ｈ、１７ｊにそれぞれ形成された垂直面１７ｋ、１７ｌとは異なり、傾斜面１７ｍが形成される。この傾斜面１７ｍは、室内機１を据付板７０に固定した状態で、すなわち、嵌合部１７ｉが係止穴７０ｃに係止された状態で、係止穴７０ｃの端部７０ｇに当接する。
【００４５】
このような構成によれば、据付板７０との固定を解除する場合に、前面グリル１７において嵌合部１７ｈ、１７ｊに対応する２箇所を押し上げつつ手前側（据付板７０と反対側）に引くだけで、嵌合部１７ｈ、１７ｉ、１７ｊと、係止穴７０ｂ、７０ｃ、７０ｄとの各係止を解除可能である。つまり、前面グリル１７において嵌合部１７ｉに対応する箇所を押し上げることなく、各係止を簡単に解除可能である。したがって、室内機１の取り外し作業を単独でも容易に実現できる。
【００４６】
また、従来の小型室内機では、その全長が短いことから、嵌合部１７ｈ、１７ｊは、この２箇所のみに設けられていた。ところが、大型の室外機では、配管２２の自重や、その収納具合によって、室外機の下面が変形し、外観を損なう場合があった。したがって、本実施形態では、嵌合部１７ｈ、１７ｊに加えて、新たに嵌合部１７ｉを形成し、配管２２の自重を３箇所で受けることを可能にした。この構成によれば、大型の室外機であっても、室外機の下面が変形することを防止できる。
【００４７】
以上、本実施形態では、ファンガード組立体２１の組立時に、従来の穴貫通タイプのように各横桟を各縦桟に貫通させることなく、保持溝６０〜６５で横桟４０〜４５をそれぞれ保持できるため、各横桟４０〜４５を各縦桟３０〜３３に対して簡単に組み付けることができる。
【００４８】
また、縦桟３０〜３３を吹出口１７ｆの長手方向（図３の紙面に垂直な方向）に沿って互いに離れた位置に配置すると共に、横桟４０〜４５をこれらの縦桟３０〜３３に保持することによって、横桟４０〜４５を確実に保持できる。
【００４９】
また、横桟４０〜４５を吹出口１７ｆのほぼ全域に亘って設けることで、外部から本体ケーシング１１内部に手等が挿入された手等で引っ張られるまたは押されることによって、横桟４０〜４５が縦桟３０〜３３から抜けることを確実に防止できる。なお、「吹出口１７ｆ全域に亘って」には、横桟４０〜４５が吹出口１７ｆの長手方向に沿って（縦桟３０〜３３の配列方向に沿って）吹出口１７ｆのほぼ全域に亘って設けられる場合や、横桟４０〜４５が吹出口１７ｆの長手方向に垂直な方向に沿って（横桟４０〜４５の配列方向に沿って）吹出口１７ｆのほぼ全域に亘って設ける場合が含まれる。
【００５０】
また、突出部５０〜５５の各先端を従来の円形状ではなく、略三角形状に形成することで、突出部５０〜５５の先端付近で渦ができることにより風の流れが乱れることを防止できる。したがって、本発明では、従来の空気調和機に比べて、ファンガード組立体２１の結露を抑制できる。
【００５１】
また、突出部５０〜５５に設けられた突起によって、横桟４０〜４５を保持溝６０〜６５内で固定できるため、各横桟４０〜４５の各縦桟３０〜３３への組付後に、各横桟４０〜４５が各縦桟３０〜３３から外れることを確実に防止できる。
【００５２】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味及び範囲内でのすべての変更が含まれる。
【００５３】
なお、上述した実施形態では、各突出部５０〜５５を吹出口１７ｆ側に設ける例について述べた。本発明はかかる実施形態に限定されるものではない。例えば、図１３及び図１４に示すように、各突出部１５０〜１５５をクロスフローファン１３側に形成してもよい。なお、図１４に示す直線Ｌ１０１〜Ｌ１０６は、ファンガード組立体１２１の縦桟１３０（第１部材）で保持された各横桟１４０〜１４５（第２部材）の中心点Ｃ１４０〜Ｃ１４５と、吹出口１７ｆの縁Ｖ（図の一点鎖線）上において吹出口１７ｆの上端に位置する点Ｐ１とを結んだ直線をそれぞれ示す。図１４に示すように、各突出部１５０〜１５５は、それぞれ、各直線Ｌ１０１〜Ｌ１０６に対して交差するように形成される。なお、図１４に示す各交差は、図８〜図１０に示すような点Ｐ１と各中心点Ｃ１４０〜Ｃ１４５との間ではなく、各中心点Ｃ１４０〜Ｃ１４５の外側で行われる。
【００５４】
このような構成によれば、各突出部１５０〜１５５がそれぞれ障壁となって、各横桟１４０〜１４５が各直線Ｌ１０１〜Ｌ１０６方向に移動することを規制できる。つまり、各横桟１４０〜１４５が、外部から挿入された手等で押されることによって吹出口１７ｆと反対側のクロスローファン１３側に押される方向に移動することを防止できる。したがって、各横桟１４０〜１４５を縦桟１３０に組み付けた後で、各横桟１４０〜１４５が縦桟１３０から抜けることを確実に防止できる。
【産業上の利用可能性】
【００５５】
本発明を利用すれば、組み立てやすく、かつ、横桟が縦桟から外れにくいファンガード組立体を有する空気調和機を得ることができる。
【図面の簡単な説明】
【００５６】
【図１】本発明の実施形態に係る空気調和機を前方斜め上から見た斜視図である。
【図２】図１に示す室内機を前方から見た模式図である。
【図３】図２に示す室内機の断面模式図である。
【図４】図２に示す室内機の前面パネルを取り外した模式図である。
【図５】ファンガード組立体を斜め前方から見た斜視図である。
【図６】図３に示すファンガード組立体の周辺を拡大した断面模式図である。
【図７】図６に示す突出部の周辺を拡大した模式図である。
【図８】図３に示すファンガード組立体の周辺を拡大した断面模式図である。
【図９】図３に示すファンガード組立体の周辺を拡大した断面模式図である。
【図１０】図３に示すファンガード組立体の周辺を拡大した断面模式図である。
【図１１】室内機を壁面に固定するための据付板を前方斜め上から見た斜視図である。
【図１２】図２に示す室内機の断面模式図である。
【図１３】ファンガード組立体の周辺を拡大した断面模式図である。
【図１４】ファンガード組立体の周辺を拡大した断面模式図である。
【符号の説明】
【００５７】
１  室内機（空気調和機）
１１  本体ケーシング（筐体）
１３  クロスフローファン（送風ファン）
１７ｆ  吹出口（吹出開口）
２１、１２１  ファンガード組立体
３０〜３３、１３０  縦桟（第１部材）
４０〜４５、１４０〜１４５、  横桟（第２部材）
５０〜５５、１５０〜１５５  突出部
５０ａ、５１ａ  突起
６０〜６５、１６０〜１６５  保持溝
Ｃ４０〜Ｃ４５、Ｃ１４０〜Ｃ１４５  中心点
Ｌ１〜Ｌ６、Ｌ１０１〜Ｌ１０６  直線
Ｖ  縁
【図１】
2010107086.tif 000003
【図２】
2010107086.tif 000004
【図３】
2010107086.tif 000005
【図４】
2010107086.tif 000006
【図５】
2010107086.tif 000007
【図６】
2010107086.tif 000008
【図７】
2010107086.tif 000009
【図８】
2010107086.tif 000010
【図９】
2010107086.tif 000011
【図１０】
2010107086.tif 000012
【図１１】
2010107086.tif 000013
【図１２】
2010107086.tif 000014
【図１３】
2010107086.tif 000015
【図１４】
2010107086.tif 000016